(57)【要約】【課題】折れ癖等の付いたチューブであっても、円滑にシール溶着することができ、シール不良の発生も抑制することが可能な医療用チューブシール装置セットを提供する。【解決手段】前面にチューブシール部２０Ａ〜２０Ｈがそれぞれ配設されたチューブシール装置１０Ａ〜１０Ｈと、チューブシール装置１０Ａ〜１０Ｈを載置可能に構成された載置台６０と、を備える医療用チューブシール装置セット１。載置台６０における載置面７０の高さは、チューブシール装置１０Ａ〜１０Ｈのうち左右方向中央寄りに配置されたチューブシール装置が、他のチューブシール装置に比べて、一対の電極の位置が高くなるように設定されている。【選択図】図１
2015150758.tif 000002
【特許請求の範囲】
【請求項１】
前面にチューブシール部がそれぞれ配設された複数のチューブシール装置と、
前記チューブシール装置の左右方向に沿って並ぶようにして前記複数のチューブシール装置を載置可能に構成された載置台と、を備える医療用チューブシール装置セットであって、
前記チューブシール部は、各チューブシール装置の前後方向に沿って対向配置された一対の押圧部と、前記一対の押圧部を覆うように設けられたカバー部材とを有し、
前記カバー部材には、鉛直上方向から前記一対の押圧部の間に医療用チューブを挿入可能に構成されたスリット部が設けられており、
前記複数のチューブシール装置のそれぞれは、前記スリット部に挿入された医療用チューブを前記一対の押圧部によって挟持した状態でシール溶着可能に構成されており、
前記載置台における載置面の高さは、
当該載置面上に前記複数のチューブシール装置を載置したときに、前記複数のチューブシール装置のうち前記左右方向中央寄りに配置されたチューブシール装置が、前記複数のチューブシール装置における他のチューブシール装置に比べて、前記一対の押圧部の位置が高くなるように設定されていることを特徴とする医療用チューブシール装置セット。
【請求項２】
請求項１に記載の医療用チューブシール装置セットにおいて、
前記載置面は、前記載置台における前記左右方向端部から中央部にかけて階段状に形成されていることを特徴とする医療用チューブシール装置セット。
【請求項３】
請求項１又は２に記載の医療用チューブシール装置セットにおいて、
前記載置面の高さは、前記複数のチューブシール装置における各一対の押圧部の位置を結ぶと、鉛直上方向に向かって凸となる仮想曲線が描かれるように設定されていることを特徴とする医療用チューブシール装置セット。
【請求項４】
請求項１又は２に記載の医療用チューブシール装置セットにおいて、
前記載置面の高さは、前記複数のチューブシール装置における各一対の押圧部の位置を結ぶと、前記載置台の左右方向中央位置で交差する２本の仮想直線が描かれるように設定されていることを特徴とする医療用チューブシール装置セット。
【請求項５】
請求項１に記載の医療用チューブシール装置セットにおいて、
前記載置面は、鉛直上方向に向かって凸となる円弧状に形成されており、
前記載置面の高さは、前記複数のチューブシール装置における各一対の押圧部の位置を結ぶと、鉛直上方向に向かって凸となる仮想曲線が描かれるように設定されていることを特徴とする医療用チューブシール装置セット。
【請求項６】
請求項１に記載の医療用チューブシール装置セットにおいて、
前記載置面は、前記載置台の左右方向中央位置に稜線を有する山状に形成されており、
前記載置面の高さは、前記複数のチューブシール装置における各一対の押圧部の位置を結ぶと、前記載置台の左右方向中央位置で交差する２本の仮想直線が描かれるように設定されていることを特徴とする医療用チューブシール装置セット。
【請求項７】
複数のチューブシール装置を備える医療用チューブシール装置セットに用いる載置台であって、
前記医療用チューブシール装置セットは、請求項１〜６のいずれか一項に記載の医療用チューブシール装置セットであることを特徴とする載置台。
【発明の詳細な説明】
【技術分野】
【０００１】
本発明は、医療用チューブシール装置セット及び載置台に関する。
【背景技術】
【０００２】
一対の電極間に配置された医療用チューブ（以下、単に「チューブ」と略すこともある。）をシール溶着する医療用チューブシール装置セットとして、従来、載置台上に複数のチューブシール装置が並置された医療用チューブシール装置セットが知られている（例えば、特許文献１参照。）。
【０００３】
図１７及び図１８は、従来の医療用チューブシール装置セット９の外観斜視図及び正面図である。図１９及び図２０は、従来の医療用チューブシール装置セット９に用いる載置台９６０の外観斜視図及び正面図である。
【０００４】
従来の医療用チューブシール装置セット９は、図１７及び図１８に示すように、前面にチューブシール部２０Ａ〜２０Ｈが配設された８台のチューブシール装置１０Ａ〜１０Ｈと、チューブシール装置１０Ａ〜１０Ｈを載置可能に構成された載置台９６０とを備えている。載置台９６０は、図１９及び図２０に示すように、１つの平面からなる載置面９７０と、載置面９７０の後方に立設された装置接続部９８０と、載置面９７０の左右両端部に設けられた取っ手９９０，９９１とを備えており、載置面９７０上に８台のチューブシール装置１０Ａ〜１０Ｈが左右方向に沿って並んで載置されるように構成されている。従来の医療用チューブシール装置セット９を用いてチューブをシール溶着すると、１回のシール動作により計８か所をほぼ同時にシール溶着することができる。
【先行技術文献】
【特許文献】
【０００５】
【特許文献１】意匠登録第１４２９６２０号公報
【発明の概要】
【発明が解決しようとする課題】
【０００６】
ところで、血液バッグ等に接続されたチューブは、使用前（包材にしまわれている段階）においては折り重なった状態で収納されていることから、チューブに折れ癖や曲がり癖（以下、折れ癖等という。）が付いてしまっていることがある。そのような折れ癖等の付いたチューブを複数のチューブシール装置のチューブシール部に挿入すると、正常なシール位置に対してチューブが浮いてしまう（以下、この現象を「チューブの浮き」ということもある。）場合がある。チューブの浮きが発生すると、例えばチューブの挿入が検知されずシール動作が行われなかったり、望ましい位置でシール溶着できなかったりするケースが起こり得る。仮に望ましい位置でシール溶着できないと、チューブが破断してしまったり、チューブの一部においてシール不足が発生したりする等、シール不良が発生しかねない。
【０００７】
なお、折れ癖等の付いたチューブに対して、チューブ長手方向に沿ってテンション（引張力）をかけることにより、チューブの浮きを直せなくもない。しかしながら、本発明者が実験したところによると、折れ癖等の付いたチューブに対して、チューブ長手方向に沿ってテンションをかければ必ずチューブの浮きがきれいに直るということはなく、チューブの浮きが思いどおりに改善されないケースもあった。
【０００８】
そこで、本発明は、このような問題を解決するためになされたもので、折れ癖等の付いたチューブであっても、円滑にシール溶着することができ、シール不良の発生も抑制することが可能な医療用チューブシール装置セット及び載置台を提供することを目的とする。
【課題を解決するための手段】
【０００９】
本発明の発明者は、上記の目的を達成するため、従来の医療用チューブシール装置セットにおいて、チューブのどの位置に折れ癖等が付いていると、チューブの浮きが直りにくいのかを徹底的に調査した。その結果、載置台の左右方向両端部付近に折れ癖等が位置するチューブに比べて、載置台の中央付近に折れ癖等が位置するチューブのほうが、チューブの浮きが直りにくいという知見を得た。載置台の左右方向両端部付近、すなわちチューブを持つ手元により近い部分に折れ癖等が位置する場合は、チューブに軽くテンションをかければチューブの浮きを直すことができる一方、載置台の中央付近に折れ癖等が位置する場合、手元から折れ癖等の位置までの距離が離れているため、手元でチューブにテンションを加えたとしてもその力が折れ癖等の位置までは伝わりにくく、チューブの浮きが直りにくい。
【００１０】
本発明の発明者は、以上の知見にもとづいて、載置台の中央付近に折れ癖等が位置するチューブであったとしてもチューブの浮きを改善させる手段を探るべく、鋭意研究を重ねた。その結果、載置台の載置面を以下に記載する構成とすれば、たとえ載置台の中央付近に折れ癖等が位置するチューブであったとしてもチューブの浮きを改善することができ、結果として上記の目的を達成できることに想到し、本発明を完成させるに至った。
【００１１】
すなわち、本発明の医療用チューブシール装置セットは、前面にチューブシール部がそれぞれ配設された複数のチューブシール装置と、前記チューブシール装置の左右方向に沿って並ぶようにして前記複数のチューブシール装置を載置可能に構成された載置台と、を備える医療用チューブシール装置セットであって、前記チューブシール部は、各チューブシール装置の前後方向に沿って対向配置された一対の押圧部と、前記一対の押圧部を覆うように設けられたカバー部材とを有し、前記カバー部材には、鉛直上方向から前記一対の押圧部の間に医療用チューブを挿入可能に構成されたスリット部が設けられており、前記複数のチューブシール装置のそれぞれは、前記スリット部に挿入された医療用チューブを前記一対の押圧部によって挟持した状態でシール溶着可能に構成されており、前記載置台における載置面の高さは、当該載置面上に前記複数のチューブシール装置を載置したときに、前記複数のチューブシール装置のうち前記左右方向中央寄りに配置されたチューブシール装置が、前記複数のチューブシール装置における他のチューブシール装置に比べて、前記一対の押圧部の位置が高くなるように設定されていることを特徴とする。
【００１２】
本発明の医療用チューブシール装置セットによれば、載置台における載置面の高さが上記のように設定されているため、複数のチューブシール装置のチューブシール部（各カバー部材のスリット部）に対してチューブを挿入したときに、左右方向中央寄りに位置するチューブシール装置のチューブシール部において、チューブがスリット部（スリット部の最下部）と接触し、チューブに対しチューブをスリット部に押し付けようとする力（以下、この力を「押付力」という。）が働くこととなる。これにより、折れ癖等の付いたチューブを挿入した際、仮に載置台の中央付近に折れ癖等が位置することとなったとしても、チューブに働く押付力によってチューブの浮きを改善することができる。その結果、チューブの挿入が検知されずシール動作が行われなかったり、望ましい位置でシール溶着できなかったりするような、望ましくないケースの発生を抑制することができる。
【００１３】
したがって、本発明の医療用チューブシール装置セットは、折れ癖等の付いたチューブであっても、円滑にシール溶着することができ、シール不良の発生も抑制することが可能な医療用チューブシール装置セットとなる。
【００１４】
本発明の医療用チューブシール装置セットにおいては、前記載置面は、前記載置台における前記左右方向端部から中央部にかけて階段状に形成されていることが好ましい。
【００１５】
このように構成することにより、載置面上にチューブシール装置を安定して載置することが可能となる。
【００１６】
本発明の医療用チューブシール装置セットにおいては、前記載置面の高さは、前記複数のチューブシール装置における各一対の押圧部の位置を結ぶと、鉛直上方向に向かって凸となる仮想曲線が描かれるように設定されていることが好ましい。
【００１７】
このように構成することにより、いずれのチューブシール部においてもチューブがスリット部（スリット部の最下部）と接触し、チューブ全体にわたって押付力が働くようになる。その結果、チューブの浮きをより一層改善することができるようになり、チューブの挿入が検知されずシール動作が行われなかったり、望ましい位置でシール溶着できなかったりするような、望ましくないケースの発生をさらに抑制することが可能となる。
【００１８】
本発明の医療用チューブシール装置セットにおいては、前記載置面の高さは、前記複数のチューブシール装置における各一対の押圧部の位置を結ぶと、前記載置台の左右方向中央位置で交差する２本の仮想直線が描かれるように設定されていることが好ましい。
【００１９】
このように構成することによっても、いずれのチューブシール部においてもチューブがスリット部（スリット部の最下部）と接触し、チューブ全体にわたって押付力が働くようになる。その結果、チューブの浮きをより一層改善することができるようになり、チューブの挿入が検知されずシール動作が行われなかったり、望ましい位置でシール溶着できなかったりするような、望ましくないケースの発生をさらに抑制することが可能となる。
【００２０】
本発明の医療用チューブシール装置セットにおいては、前記載置面は、鉛直上方向に向かって凸となる円弧状に形成されており、前記載置面の高さは、前記複数のチューブシール装置における各一対の押圧部の位置を結ぶと、鉛直上方向に向かって凸となる仮想曲線が描かれるように設定されていることが好ましい。
【００２１】
このように構成することによっても、いずれのチューブシール部においてもチューブがスリット部（スリット部の最下部）と接触し、チューブ全体にわたって押付力が働くようになる。その結果、チューブの浮きをより一層改善することができるようになり、チューブの挿入が検知されずシール動作が行われなかったり、望ましい位置でシール溶着できなかったりするような、望ましくないケースの発生をさらに抑制することが可能となる。
【００２２】
本発明の医療用チューブシール装置セットにおいては、前記載置面は、前記載置台の左右方向中央位置に稜線を有する山状に形成されており、前記載置面の高さは、前記複数のチューブシール装置における各一対の押圧部の位置を結ぶと、前記載置台の左右方向中央位置で交差する２本の仮想直線が描かれるように設定されていることが好ましい。
【００２３】
このように構成することによっても、いずれのチューブシール部においてもチューブがスリット部（スリット部の最下部）と接触し、チューブ全体にわたって押付力が働くようになる。その結果、チューブの浮きをより一層改善することができるようになり、チューブの挿入が検知されずシール動作が行われなかったり、望ましい位置でシール溶着できなかったりするような、望ましくないケースの発生をさらに抑制することが可能となる。
【００２４】
本発明の載置台は、複数のチューブシール装置を備える医療用チューブシール装置セットに用いる載置台であって、医療用チューブシール装置セットは、本発明の医療用チューブシール装置セットであることを特徴とする。
【００２５】
本発明の載置台によれば、上述した本発明の医療用チューブシール装置セットに用いる載置台と同じ構成からなるため、本発明の載置台を用いることによって、折れ癖等の付いたチューブであっても、円滑にシール溶着することができ、シール不良の発生も抑制することが可能となる。
【発明の効果】
【００２６】
本発明の医療用チューブシール装置セット及び載置台によれば、折れ癖等の付いたチューブを挿入した際、仮に載置台の中央付近に折れ癖等が位置することとなったとしても、チューブに働く押付力によってチューブの浮きを改善することができるため、チューブの挿入が検知されずシール動作が行われなかったり、望ましい位置でシール溶着できなかったりするような、望ましくないケースの発生を抑制することができる。
【図面の簡単な説明】
【００２７】
【図１】図１は、第１実施形態に係る医療用チューブシール装置セット１の正面図である。
【図２】図２は、第１実施形態に係る医療用チューブシール装置セット１の平面図である。
【図３】図３は、チューブシール装置１０Ａを説明するために示す図である。図３（ａ）はチューブシール装置１０Ａの外観斜視図であり、図３（ｂ）はチューブシール装置１０Ａの右側面図である。
【図４】図４は、チューブシール部２０Ａを説明するために示す図である。図４（ａ）はチューブシール部２０Ａの構成を模式的に示す図であり、図４（ｂ）は一対の電極２１Ａ，２２Ａ間にチューブＴを挿入した様子を模式的に示す図である。
【図５】図５は、第１実施形態に係る載置台６０の外観斜視図である。
【図６】図６は、第１実施形態に係る載置台６０の正面図である。
【図７】図７は、載置台６０における載置面７０の高さを説明するために示す図である。
【図８】図８は、比較例に係る医療用チューブシール装置セット８を説明するために示す図である。
【図９】図９は、第１実施形態に係る医療用チューブシール装置セット１を説明するために示す図である。図９（ａ）はチューブシール装置１０Ａ〜１０Ｈにおけるチューブシール部２０Ａ〜２０Ｈの各電極及び検知部の位置を模式的に示す正面図であり、図９（ｂ）はチューブシール部２０Ａ〜２０ＨにチューブＴを挿入した一例を示す図である。
【図１０】図１０は、第２実施形態に係る医療用チューブシール装置セット２を説明するために示す図である。図１０（ａ）はチューブシール装置１０Ａ〜１０Ｈにおけるチューブシール部２０Ａ〜２０Ｈの各電極及び検知部の位置を模式的に示す正面図であり、図１０（ｂ）はチューブシール部２０Ａ〜２０ＨにチューブＴを挿入した一例を示す図である。
【図１１】図１１は、第３実施形態に係る医療用チューブシール装置セット３の正面図である。
【図１２】図１２は、第３実施形態に係る載置台３６０の正面図である。
【図１３】図１３は、第３実施形態に係る医療用チューブシール装置セット３を説明するために示す図である。図１３（ａ）はチューブシール装置１０Ａ〜１０Ｈにおけるチューブシール部２０Ａ〜２０Ｈの各電極及び検知部の位置を模式的に示す正面図であり、図１３（ｂ）はチューブシール部２０Ａ〜２０ＨにチューブＴを挿入した一例を示す図である。
【図１４】図１４は、第４実施形態に係る医療用チューブシール装置セット４の正面図である。
【図１５】図１５は、第４実施形態に係る載置台４６０の正面図である。
【図１６】図１６は、第４実施形態に係る医療用チューブシール装置セット４を説明するために示す図である。図１６（ａ）はチューブシール装置１０Ａ〜１０Ｈにおけるチューブシール部２０Ａ〜２０Ｈの各電極及び検知部の位置を模式的に示す正面図であり、図１６（ｂ）はチューブシール部２０Ａ〜２０ＨにチューブＴを挿入した一例を示す図である。
【図１７】図１７は、従来の医療用チューブシール装置セット９の外観斜視図である。
【図１８】図１８は、従来の医療用チューブシール装置セット９の正面図である。
【図１９】図１９は、従来の医療用チューブシール装置セット９に用いる載置台９６０の外観斜視図である。
【図２０】図２０は、従来の医療用チューブシール装置セット９に用いる載置台９６０の正面図である。
【発明を実施するための形態】
【００２８】
以下、本発明の医療用チューブシール装置セット及び載置台について、図に示す実施の形態に基づいて説明する。
【００２９】
［第１実施形態］
まず、第１実施形態に係る医療用チューブシール装置セット１の構成について、図１及び図２を用いて説明する。
図１は、第１実施形態に係る医療用チューブシール装置セット１の正面図である。図２は、第１実施形態に係る医療用チューブシール装置セット１の平面図である。
【００３０】
なお、以下の説明において、図に示すｘ軸に沿った方向が医療用チューブシール装置セット１の左右方向であり、図に示すｙ軸に沿った方向が医療用チューブシール装置セット１の前後方向であり、図に示すｚ軸に沿った方向が医療用チューブシール装置セット１の上下方向である。また、「鉛直上方向」とは、ｚ軸に沿った上方向をいう。
【００３１】
第１実施形態に係る医療用チューブシール装置セット１は、図１及び図２に示すように、前面にチューブシール部２０Ａ〜２０Ｈが配設された８台のチューブシール装置１０Ａ〜１０Ｈと、チューブシール装置１０Ａ〜１０Ｈを載置可能に構成された載置台６０とを備える。
【００３２】
次に、チューブシール装置１０Ａ〜１０Ｈの構成について、図３及び図４を用いて説明する。なお、８台のチューブシール装置１０Ａ〜１０Ｈのうち正面最左位置にあるチューブシール装置１０Ａを例に、その構造を具体的に説明する。
図３は、チューブシール装置１０Ａを説明するために示す図である。図３（ａ）はチューブシール装置１０Ａの外観斜視図であり、図３（ｂ）はチューブシール装置１０Ａの右側面図である。図４は、チューブシール部２０Ａを説明するために示す図である。図４（ａ）はチューブシール部２０Ａの構成を模式的に示す図であり、図４（ｂ）は一対の電極２１Ａ，２２Ａ間にチューブＴを挿入した様子を模式的に示す図である。なお、図４（ａ）及び図４（ｂ）においては、カバー部材２５Ａを取り外した状態で図示している。
【００３３】
チューブシール装置１０Ａは、例えば高周波でチューブをシール（封止）する機能を有するチューブシーラーであって、図３に示すように、略直方体形状の本体部１２Ａと、本体部１２Ａの前面に配設されたチューブシール部２０Ａと、チューブシール装置１０Ａ内の各部に電力を供給するための電源部と、各種制御を実行する制御部（ともに図示せず。）とを有する。
【００３４】
本体部１２Ａの前面であって、チューブシール部２０Ａの上方には、点灯部１４Ａが設けられている。点灯部１４Ａは、例えばＬＥＤからなり、複数の色で発光又は明滅可能に構成されている。また、図示による説明は省略するが、本体部１２Ａの背面には、電源端子と、通信用端子と、載置面７０上に載置したときに位置合わせするために用いる２つの位置決め孔と、載置面７０上に載置したチューブシール装置１０Ａを固定するために用いる装置固定用ネジ孔とが設けられている。
【００３５】
チューブシール部２０Ａは、図４に示すように、一対の押圧部としての一対の電極２１Ａ，２２Ａと、一対の電極２１Ａ，２２Ａを支持する電極支持部２３Ａ，２４Ａと、一対の電極２１Ａ，２２Ａを覆うように設けられたカバー部材２５Ａ（図３（ａ）及び図３（ｂ）参照。）と、一対の電極２１Ａ，２２Ａ間にチューブが挿入されたことを検知するための検知部３０Ａ，３５Ａと、電極支持部２３Ａに接続された進退機構４０Ａとを有する。
【００３６】
一対の電極２１Ａ，２２Ａのうち電極２１Ａは可動電極であり、電極２２Ａは固定電極である。一対の電極２１Ａ，２２Ａは、本体部１２Ａの前後方向に沿って対向配置されている。一対の電極２１Ａ，２２Ａは、本体部１２Ａの前面から張り出すように設けられており、チューブを挿入するためのスリット部２６Ａが設けられたカバー部材２５Ａによってカバーされている。
【００３７】
スリット部２６Ａは、図３（ａ）及び図３（ｂ）に示すように、鉛直上方向に向けて開放された切れ込みからなり、略鉛直上方向から一対の電極２１Ａ，２２Ａ間にチューブを挿入可能に構成されている。図示による説明は省略するが、スリット部２６Ａの切れ込みの深さは左右で同じ大きさであるため、スリット部２６Ａの最下部２７Ａの位置も、左右で同じ高さにある。チューブシール部２０Ａは、スリット部２６Ａに挿入されたチューブを一対の電極２１Ａ，２２Ａによって挟持した状態でシール溶着可能に構成されている。
【００３８】
検知部３０Ａ，３５Ａは、本体部１２Ａの左右方向に沿って、一対の電極２１Ａ，２２Ａの両脇に１つずつ配設されている。検知部３０Ａ，３５Ａは、図４（ｂ）に示すように、電極２１Ａの両脇に配設された発光素子３１Ａ，３６Ａと、電極２２Ａの両脇に配設された受光素子３２Ａ，３７Ａとからなり、発光素子３１Ａ，３６Ａと受光素子３２Ａ，３７Ａとがそれぞれ対向する位置に配置されている。検知部３０Ａ，３５Ａは、例えば透過型のフォトインタラプタであり、図４（ｂ）に示すように、一対の電極２１Ａ，２２Ａ間に挿入されたチューブＴによって発光素子３１Ａ，３６Ａからの光が遮断されたことを、受光素子３２Ａ，３７Ａが検知し、当該検知情報を制御部に送るように構成されている。
【００３９】
進退機構４０Ａは、例えば電動シリンダからなる。進退機構４０Ａによる直線運動が電極支持部２３Ａを介して電極２１Ａに伝達されることにより、一対の電極２１Ａ，２２Ａを接近又は離隔させる方向（本体部１２Ａの前後方向）に沿って、電極２１Ａを移動させるように構成されている。
【００４０】
電源部は、図示による説明は省略するが、外部の商用電源などから電源ケーブル等を介して交流電力を導き、内蔵するＡＣ／ＤＣ変換部で変圧・整流・平滑などの処理を行って、チューブシール装置１０Ａの各部に電力を供給する。
【００４１】
制御部は、図示による説明は省略するが、ＣＰＵ（Central Processing Unit）又はＣＰＵが搭載された回路基板によって構成されている。制御部は、検知部からの検知情報に基づいて、チューブシール部２０Ａ〜２０Ｈにおける各進退機構の駆動を制御するとともに、チューブシール部２０Ａ〜２０Ｈにおける各一対の電極に対する高周波電流の印加を少なくとも制御する。
【００４２】
他のチューブシール装置１０Ｂ〜１０Ｈについても、基本的には上記のチューブシール装置１０Ａと同様の構成を有する。
【００４３】
次に、載置台６０の構成について、図５及び図６を用いて説明する。
図５は、第１実施形態に係る載置台６０の外観斜視図である。図６は、第１実施形態に係る載置台６０の正面図である。図７は、載置台６０における載置面７０の高さを説明するために示す図（載置台６０の正面図）である。なお、図７においては、発明の理解を容易にするため、装置接続部８０の図示を省略している。
【００４４】
載置台６０は、図５〜図７に示すように、載置台６０における左右方向端部から中央部にかけて３段ずつ上るような階段状に形成された載置面７０と、載置面７０の後方に立設された装置接続部８０と、載置面７０の左右両端部に設けられた取っ手９０，９１とを備える。
【００４５】
載置面７０は、あわせて７つの平面が階段状となるように形成されており、中央部を境界として左右対称形である。図７に示すように、チューブシール装置１０Ａが載置される位置における載置面７０の高さ（載置台６０を例えば机上に置いた場合における机面から当該載置面までの、鉛直方向に沿った距離）をＨ１、チューブシール装置１０Ｂが載置される位置における載置面７０の高さをＨ２というように、チューブシール装置１０Ａ〜１０Ｈがそれぞれ載置される位置の載置面７０の高さをＨ１〜Ｈ８としたとき、載置面７０の高さは、「Ｈ１＝Ｈ８、Ｈ２＝Ｈ７、Ｈ３＝Ｈ６、Ｈ４＝Ｈ５」を満たすとともに、「Ｈ１＜Ｈ２＜Ｈ３＜Ｈ４」かつ「Ｈ５＞Ｈ６＞Ｈ７＞Ｈ８」を満たすように設定されている。また、詳細については後述するが、載置面７０の高さは、チューブシール装置１０Ａ〜１０Ｈにおける各一対の電極の位置を結ぶと、鉛直上方向に向かって凸となる仮想曲線ＶＣ（後述する図９（ａ）参照。）が描かれるように設定されている。
【００４６】
装置接続部８０には、８つの電源用コネクタ８２Ａ〜８２Ｈと、８つの通信用コネクタ８４Ａ〜８４Ｈと、１６本（２本×８組）の位置決めピン８６Ａ〜８６Ｈ，８７Ａ〜８７Ｈと、８つの装置固定用ネジ８８Ａ〜８８Ｈとが設けられている。これら各部は、チューブシール装置１０Ａ〜１０Ｈの背面に設けられた電源端子、通信用端子、位置決め孔及び装置固定用ネジ孔と対応しており、８台のチューブシール装置１０Ａ〜１０Ｈが載置面７０上に左右方向に沿って均等に並んで配置されるように構成されている。
【００４７】
次に、比較例に係る医療用チューブシール装置セット８の構成と対比して、第１実施形態に係る医療用チューブシール装置セット１の載置台６０（載置面７０の高さ）をさらに詳しく説明する。
【００４８】
図８は、比較例に係る医療用チューブシール装置セット８を説明するために示す図である。図８においては、医療用チューブシール装置セット８を正面から見たときのチューブシール部２０Ａ〜２０Ｈにおける電極及び検知部の位置を模式的に示している。
図９は、第１実施形態に係る医療用チューブシール装置セット１を説明するために示す図である。図９（ａ）はチューブシール装置１０Ａ〜１０Ｈにおけるチューブシール部２０Ａ〜２０Ｈの各電極及び検知部の位置を模式的に示す正面図であり、図９（ｂ）はチューブシール部２０Ａ〜２０Ｈ（各カバー部材のスリット部）にチューブＴを挿入した一例を示す図である。
なお、図８、図９（ａ）及び図９（ｂ）においては、本来は正面からは見えない電極及び検知部並びに挿入されたチューブを、発明の理解を容易にするために実線で示している。
【００４９】
比較例に係る医療用チューブシール装置セット８は、基本的には第１実施形態に係る医療用チューブシール装置セット１と同様の構成を有するが、図８に示すように、載置台８６０の載置面８７０が、階段状に形成されておらず１つの平面からなる点で、第１実施形態に係る医療用チューブシール装置セット１とは異なる。
【００５０】
比較例に係る医療用チューブシール装置セット８のチューブシール部２０Ａ〜２０Ｈに対し、折れ癖等の付いたチューブＴを挿入すると、チューブの浮きが発生してしまう場合がある（例えば図８に示すチューブシール部２０Ｄの位置を参照。）。その結果、チューブＴの挿入が検知されずシール動作が行われなかったり、望ましい位置でシール溶着できなかったりするケースが起こり得る。
【００５１】
なお、図８に示すように載置台８６０の中央付近に折れ癖等が位置する場合、手元（載置台８６０の左右方向両端部）から折れ癖等の位置までの距離が離れているため、手元でチューブＴにテンションを加えたとしてもその力が折れ癖等の位置までは伝わりにくく、チューブの浮きが直りにくい。
【００５２】
一方、第１実施形態に係る医療用チューブシール装置セット１においては、載置台６０における載置面７０の高さが、上述したように、「Ｈ１＝Ｈ８、Ｈ２＝Ｈ７、Ｈ３＝Ｈ６、Ｈ４＝Ｈ５」を満たすとともに、「Ｈ１＜Ｈ２＜Ｈ３＜Ｈ４」かつ「Ｈ５＞Ｈ６＞Ｈ７＞Ｈ８」を満たすように設定されている（図７参照。）。８台のチューブシール装置１０Ａ〜１０Ｈはいずれも、各チューブシール装置の底面から一対の電極までの高さが同じであることから、載置面７０上に８台のチューブシール装置１０Ａ〜１０Ｈを載置したときに、チューブシール装置１０Ａ〜１０Ｈのうち左右方向中央寄りに配置されたチューブシール装置は、他のチューブシール装置に比べて、一対の電極（及びカバー部材のスリット部）の位置が高くなると言える。
【００５３】
電極２１Ａ〜２１Ｈの位置関係について具体的に説明すると、図９（ａ）に示すように、チューブシール部２０Ａの電極２１Ａと、チューブシール部２０Ｈの電極２１Ｈとが、全体の電極２１Ａ〜２１Ｈの中で最も低い高さに位置している。その次に高い位置にあるのが、チューブシール部２０Ｂの電極２１Ｂとチューブシール部２０Ｇの電極２１Ｇである。その次に高い位置にあるのが、チューブシール部２０Ｃの電極２１Ｃとチューブシール部２０Ｆの電極２１Ｆである。そして、全体の電極２１Ａ〜２１Ｈの中で最も高い位置にあるのが、チューブシール部２０Ｄの電極２１Ｄとチューブシール部２０Ｅの電極２１Ｅである。これら電極２１Ａ〜２１Ｈの位置を結ぶと、鉛直上方向に向かって凸となるように曲がった仮想曲線ＶＣが描かれる。電極２１Ａ〜２１Ｈと対向して電極２２Ａ〜２２Ｈが位置することからいえば、図示による説明は省略するが、電極２２Ａ〜２２Ｈの位置についても同様に、鉛直上方向に向かって凸となるように曲がった仮想曲線ＶＣが描かれる。
【００５４】
このように、チューブシール装置１０Ａ〜１０Ｈにおける各一対の電極の位置を結ぶと、鉛直上方向に向かって凸となる仮想曲線ＶＣが描かれる理由としては、上述したように、載置面７０の高さがそのように設定されているからである。
【００５５】
なお、図示による説明は省略するが、チューブシール装置１０Ａ〜１０Ｈのそれぞれにおいて、カバー部材に設けられたスリット部の形状が同じであることからすれば、スリット部の最下部の位置関係についても、上で述べた一対の電極と同様、チューブシール装置１０Ａ〜１０Ｈにおける各スリット部の最下部（各カバー部材にある２つの最下部のうち左右いずれか一方）の位置を結ぶと、鉛直上方向に向かって凸となる仮想曲線ＶＣが描かれることとなる。
【００５６】
以上のように構成された第１実施形態に係る医療用チューブシール装置セット１によれば、載置台６０における載置面７０の高さが上記のように設定されているため、チューブシール装置１０Ａ〜１０Ｈのチューブシール部２０Ａ〜２０Ｈ（各カバー部材のスリット部）に対してチューブＴを挿入したときに、左右方向中央寄りに位置するチューブシール装置のチューブシール部（例えばチューブシール部２０Ｄ，２０Ｅ）において、チューブＴがスリット部（スリット部の最下部）と接触し、チューブＴに対し押付力が働くこととなる。これにより、折れ癖等の付いたチューブＴを挿入した際、仮に載置台６０の中央付近に折れ癖等が位置することとなったとしても、チューブＴに働く押付力によってチューブＴの浮きを改善することができる（図９（ｂ）参照。）。その結果、チューブの挿入が検知されずシール動作が行われなかったり、望ましい位置でシール溶着できなかったりするような、望ましくないケースの発生を抑制することができる。
【００５７】
したがって、第１実施形態に係る医療用チューブシール装置セット１は、折れ癖等の付いたチューブであっても、円滑にシール溶着することができ、シール不良の発生も抑制することが可能な医療用チューブシール装置セットとなる。
【００５８】
第１実施形態に係る医療用チューブシール装置セット１においては、載置面７０は、載置台６０における左右方向端部から中央部にかけて階段状に形成されているため、載置面７０上にチューブシール装置１０Ａ〜１０Ｈを安定して載置することが可能となる。
【００５９】
第１実施形態に係る医療用チューブシール装置セット１においては、載置面７０の高さは、チューブシール装置１０Ａ〜１０Ｈにおける各一対の電極の位置を結ぶと、鉛直上方向に向かって凸となる仮想曲線ＶＣが描かれるように設定されている。これにより、いずれのチューブシール部２０Ａ〜２０Ｈにおいてもチューブがスリット部（スリット部の最下部）と接触し、チューブ全体にわたって押付力が働くようになる。その結果、チューブの浮きをより一層改善することができるようになり、チューブの挿入が検知されずシール動作が行われなかったり、望ましい位置でシール溶着できなかったりするような、望ましくないケースの発生をさらに抑制することが可能となる。
【００６０】
第１実施形態に係る医療用チューブシール装置セット１においては、８台のチューブシール装置１０Ａ〜１０Ｈが載置面７０上に左右方向に沿って均等に並んで配置されるように構成されている。これにより、チューブの長手方向に沿って比較的均等な間隔でチューブをシール溶着することができ、長さの揃ったセグメントチューブ（交差適合試験などに用いられるサンプル体）を作成することが可能となる。
【００６１】
第１実施形態に係る載置台６０は、載置面７０の高さが上記のように設定されているため、この載置台６０を用いることによって、折れ癖等の付いたチューブであっても、円滑にシール溶着することができ、シール不良の発生も抑制することが可能となる。
【００６２】
［第２実施形態］
図１０は、第２実施形態に係る医療用チューブシール装置セット２を説明するために示す図である。図１０（ａ）はチューブシール装置１０Ａ〜１０Ｈにおけるチューブシール部２０Ａ〜２０Ｈの各電極及び検知部の位置を模式的に示す正面図であり、図１０（ｂ）はチューブシール部２０Ａ〜２０Ｈ（各カバー部材のスリット部）にチューブＴを挿入した一例を示す図である。
なお、図１０（ａ）及び図１０（ｂ）において、本来は正面からは見えない電極及び検知部並びに挿入されたチューブを、発明の理解を容易にするために実線で示している。また、第１実施形態で説明した部材と同一の部材については同一の符号を付し、詳細な説明は省略する。
【００６３】
第２実施形態に係る医療用チューブシール装置セット２は、基本的には第１実施形態に係る医療用チューブシール装置セット１と同様の構成を有するが、載置面の高さが、第１実施形態に係る医療用チューブシール装置セット１とは異なる。
【００６４】
第２実施形態に係る医療用チューブシール装置セット２においては、図１０（ａ）に示すように、載置台２６０における載置面２７０の高さが、チューブシール装置１０Ａ〜１０Ｈにおける各一対の電極の位置を結ぶと、載置台２６０の左右方向中央位置（チューブシール部２０Ｄ，２０Ｅの間の位置）で交差する２本の仮想直線ＶＬ１，ＶＬ２が描かれるように設定されている。
【００６５】
チューブシール装置１０Ａ〜１０Ｈのうち正面左側に位置する４つのチューブシール装置１０Ａ〜１０Ｄについて、電極２１Ａ〜２１Ｄの位置を結ぶと、右上がりの仮想直線ＶＬ１が描かれる。また、正面右側に位置する４つのチューブシール装置１０Ｅ〜１０Ｈについて、電極２１Ｅ〜２１Ｈの位置を結ぶと、左上がりの仮想直線ＶＬ２が描かれる。２本の仮想直線ＶＬ１，ＶＬ２は、載置台２６０の左右方向中央位置（チューブシール部２０Ｄ，２０Ｅの間の位置）で交差する。図示による説明は省略するが、電極２２Ａ〜２２Ｈの位置についても同様に、載置台２６０の左右方向中央位置で交差する２本の仮想直線ＶＬ１，ＶＬ２が描かれる。
チューブシール装置１０Ａ〜１０Ｈにおける各一対の電極の位置を結ぶと、載置台２６０の左右方向中央位置で交差する２本の仮想直線ＶＬ１，ＶＬ２が描かれる理由としては、上述したように、載置面２７０の高さがそのように設定されているからである。
【００６６】
このように、第２実施形態に係る医療用チューブシール装置セット２は、第１実施形態に係る医療用チューブシール装置セット１とは、載置面の高さが異なるが、載置台２６０における載置面２７０の高さが上記のように設定されているため、第１実施形態に係る医療用チューブシール装置セット１の場合と同様に、チューブシール装置１０Ａ〜１０Ｈのチューブシール部２０Ａ〜２０Ｈ（各カバー部材のスリット部）に対してチューブＴを挿入したときに、左右方向中央寄りに位置するチューブシール装置のチューブシール部（例えばチューブシール部２０Ｄ，２０Ｅ）において、チューブＴがスリット部（スリット部の最下部）と接触し、チューブＴに対し押付力が働くこととなる。これにより、折れ癖等の付いたチューブＴを挿入した際、仮に載置台２６０の中央付近に折れ癖等が位置することとなったとしても、チューブＴに働く押付力によってチューブＴの浮きを改善することができる（図１０（ｂ）参照。）。その結果、チューブの挿入が検知されずシール動作が行われなかったり、望ましい位置でシール溶着できなかったりするような、望ましくないケースの発生を抑制することができる。
【００６７】
第２実施形態に係る医療用チューブシール装置セット２においては、載置面２７０の高さは、チューブシール装置１０Ａ〜１０Ｈにおける各一対の電極の位置を結ぶと、載置台２６０の左右方向中央位置で交差する２本の仮想直線ＶＬ１，ＶＬ２が描かれるように設定されている。これにより、いずれのチューブシール部２０Ａ〜２０Ｈにおいてもチューブがスリット部（スリット部の最下部）と接触し、チューブ全体にわたって押付力が働くようになる。その結果、チューブの浮きをより一層改善することができるようになり、チューブの挿入が検知されずシール動作が行われなかったり、望ましい位置でシール溶着できなかったりするような、望ましくないケースの発生をさらに抑制することが可能となる。
【００６８】
第２実施形態に係る医療用チューブシール装置セット２は、載置面の高さが異なる点以外では、第１実施形態に係る医療用チューブシール装置セット１と同様の構成を有するため、第１実施形態に係る医療用チューブシール装置セット１が有する効果のうち該当する効果をそのまま有する。
【００６９】
［第３実施形態］
図１１は、第３実施形態に係る医療用チューブシール装置セット３の正面図である。図１２は、第３実施形態に係る載置台３６０の正面図である。図１３は、第３実施形態に係る医療用チューブシール装置セット３を説明するために示す図である。図１３（ａ）はチューブシール装置１０Ａ〜１０Ｈにおけるチューブシール部２０Ａ〜２０Ｈの各電極及び検知部の位置を模式的に示す正面図であり、図１３（ｂ）はチューブシール部２０Ａ〜２０Ｈ（各カバー部材のスリット部）にチューブＴを挿入した一例を示す図である。
なお、図１３（ａ）及び図１３（ｂ）において、本来は正面からは見えない電極及び検知部並びに挿入されたチューブを、発明の理解を容易にするために実線で示している。また、第１実施形態で説明した部材と同一の部材については同一の符号を付し、詳細な説明は省略する。
【００７０】
第３実施形態に係る医療用チューブシール装置セット３は、基本的には第１実施形態に係る医療用チューブシール装置セット１と同様の構成を有するが、載置面の形状が、第１実施形態に係る医療用チューブシール装置セット１とは異なる。
【００７１】
第３実施形態に係る医療用チューブシール装置セット３においては、図１１及び図１２に示すように、載置台３６０における載置面３７０は、鉛直上方向に向かって凸となる円弧状に形成されている。
【００７２】
載置面３７０の高さは、図１３（ａ）に示すように、チューブシール装置１０Ａ〜１０Ｈにおける各一対の電極の位置を結ぶと、鉛直上方向に向かって凸となる仮想曲線ＶＣが描かれるように設定されている。
【００７３】
このように、第３実施形態に係る医療用チューブシール装置セット３は、第１実施形態に係る医療用チューブシール装置セット１とは、載置面の形状が異なるが、載置台３６０における載置面３７０の高さが上記のように設定されているため、第１実施形態に係る医療用チューブシール装置セット１の場合と同様に、チューブシール装置１０Ａ〜１０Ｈのチューブシール部２０Ａ〜２０Ｈ（各カバー部材のスリット部）に対してチューブＴを挿入したときに、左右方向中央寄りに位置するチューブシール装置のチューブシール部（例えばチューブシール部２０Ｄ，２０Ｅ）において、チューブＴがスリット部（スリット部の最下部）と接触し、チューブＴに対し押付力が働くこととなる。これにより、折れ癖等の付いたチューブＴを挿入した際、仮に載置台３６０の中央付近に折れ癖等が位置することとなったとしても、チューブＴに働く押付力によってチューブＴの浮きを改善することができる（図１３（ｂ）参照。）。その結果、チューブの挿入が検知されずシール動作が行われなかったり、望ましい位置でシール溶着できなかったりするような、望ましくないケースの発生を抑制することができる。
【００７４】
第３実施形態に係る医療用チューブシール装置セット３においては、チューブシール部２０Ａ〜２０Ｈの各検知部が仮想曲線ＶＣに沿って配置されることとなるため、チューブシール部２０Ａ〜２０Ｈに挿入されたチューブを、各検知部でもってより的確に検知することが可能となる。
【００７５】
第３実施形態に係る医療用チューブシール装置セット３は、載置面の形状が異なる点以外では、第１実施形態に係る医療用チューブシール装置セット１と同様の構成を有するため、第１実施形態に係る医療用チューブシール装置セット１が有する効果のうち該当する効果をそのまま有する。
【００７６】
［第４実施形態］
図１４は、第４実施形態に係る医療用チューブシール装置セット４の正面図である。図１５は、第４実施形態に係る載置台４６０の正面図である。図１６は、第４実施形態に係る医療用チューブシール装置セット４を説明するために示す図である。図１６（ａ）はチューブシール装置１０Ａ〜１０Ｈにおけるチューブシール部２０Ａ〜２０Ｈの各電極及び検知部の位置を模式的に示す正面図であり、図１６（ｂ）はチューブシール部２０Ａ〜２０Ｈ（各カバー部材のスリット部）にチューブＴを挿入した一例を示す図である。
なお、図１６（ａ）及び図１６（ｂ）において、本来は正面からは見えない電極及び検知部並びに挿入されたチューブを、発明の理解を容易にするために実線で示している。また、第１実施形態で説明した部材と同一の部材については同一の符号を付し、詳細な説明は省略する。
【００７７】
第４実施形態に係る医療用チューブシール装置セット４は、基本的には第２実施形態に係る医療用チューブシール装置セット２と同様の構成を有するが、載置面の形状が、第２実施形態に係る医療用チューブシール装置セット２とは異なる。
【００７８】
第４実施形態に係る医療用チューブシール装置セット４においては、図１４及び図１５に示すように、載置台４６０における載置面４７０は、載置台４６０の左右方向中央位置に稜線Ｒを有する山状に形成されている。
【００７９】
載置面４７０の高さは、図１６（ａ）に示すように、チューブシール装置１０Ａ〜１０Ｈにおける各一対の電極の位置を結ぶと、載置台４６０の左右方向中央位置（チューブシール部２０Ｄ，２０Ｅの間の位置）で交差する２本の仮想直線ＶＬ１，ＶＬ２が描かれるように設定されている。
【００８０】
このように、第４実施形態に係る医療用チューブシール装置セット４は、第２実施形態に係る医療用チューブシール装置セット２とは、載置面の形状が異なるが、載置台４６０における載置面４７０の高さが上記のように設定されているため、第１実施形態又は第２実施形態に係る医療用チューブシール装置セット１，２の場合と同様に、チューブシール装置１０Ａ〜１０Ｈのチューブシール部２０Ａ〜２０Ｈ（各カバー部材のスリット部）に対してチューブＴを挿入したときに、左右方向中央寄りに位置するチューブシール装置のチューブシール部（例えばチューブシール部２０Ｄ，２０Ｅ）において、チューブＴがスリット部（スリット部の最下部）と接触し、チューブＴに対し押付力が働くこととなる。これにより、折れ癖等の付いたチューブＴを挿入した際、仮に載置台２６０の中央付近に折れ癖等が位置することとなったとしても、チューブＴに働く押付力によってチューブＴの浮きを改善することができる（図１６（ｂ）参照。）。その結果、チューブの挿入が検知されずシール動作が行われなかったり、望ましい位置でシール溶着できなかったりするような、望ましくないケースの発生を抑制することができる。
【００８１】
第４実施形態に係る医療用チューブシール装置セット４においては、チューブシール部２０Ａ〜２０Ｈの各検知部が２本の仮想直線ＶＬ１，ＶＬ２に沿って配置されることとなるため、チューブシール部２０Ａ〜２０Ｈに挿入されたチューブを、各検知部でもってより的確に検知することが可能となる。
【００８２】
第４実施形態に係る医療用チューブシール装置セット４は、載置面の形状が異なる点以外では、第２実施形態に係る医療用チューブシール装置セット２と同様の構成を有するため、第１実施形態又は第２実施形態に係る医療用チューブシール装置セット１，２が有する効果のうち該当する効果をそのまま有する。
【００８３】
以上、本発明の医療用チューブシール装置セット及び載置台を上記の実施形態に基づいて説明したが、本発明は上記の実施形態に限定されるものではなく、その要旨を逸脱しない範囲において種々の態様において実施することが可能であり、例えば次のような変形も可能である。
【００８４】
（１）上記実施形態においては、鉛直上方向からチューブを挿入するタイプのチューブシール装置を用いた場合を例示して本発明を説明したが、本発明はこれに限定されるものではない。例えば、鉛直下方向からチューブを挿入するタイプのチューブシール装置を用いるのであれば、載置面の高さが、８台のチューブシール装置１０Ａ〜１０Ｈのうち左右方向中央寄りに配置されたチューブシール装置が、他のチューブシール装置に比べて、一対の電極の位置が低くなるように設定されているのが好ましい。
【００８５】
（２）上記実施形態においては、８台のチューブシール装置１０Ａ〜１０Ｈのうち載置台の左右方向中央寄りに配置される２台のチューブシール装置１０Ｄ，１０Ｅについて、一対の電極の高さ（カバー部材に設けられたスリット部の最下部の高さ）が同じとなるように配設されている場合を例示して説明したが、本発明はこれに限定されるものではない。例えば、２台のチューブシール装置１０Ｄ，１０Ｅのうちいずれか一方における一対の電極の高さ（スリット部の最下部の高さ）が最も高くなるように配設されていてもよいし、８台のチューブシール装置１０Ａ〜１０Ｈのうち載置台の左右方向中央寄りに配置された３台又は４台のチューブシール装置について、一対の電極の高さ（スリット部の最下部の高さ）が同じとなるように配設されていてもよい。また、８台のチューブシール部における各一対の電極の位置関係（各スリット部の最下部の位置関係）について、載置台の左右方向中央位置を通るｚ軸に対して線対称となっていなくてもよい。
【００８６】
（３）上記実施形態においては、一対の電極のうち進退機構側に位置する電極が動くように構成されている場合を例示して説明したが、本発明はこれに限定されるものではなく、進退機構とは反対側に位置する電極が動くように構成されていてもよいし、両方の電極が動くように構成されていてもよい。
【００８７】
（４）上記実施形態においては、チューブシール部が、高周波でチューブを閉塞する機能を有する高周波チューブシーラーである場合を例示して説明したが、本発明はこれに限定されるものではなく、例えば、超音波チューブシーラーや、インパルス加熱式チューブシーラーなどであってもよい。なお、上記実施形態においては、チューブシール部が高周波チューブシーラーであることから、一対の押圧部が「一対の電極」である場合を例示して説明したが、例えばチューブシール部が超音波チューブシーラーであれば、一対の押圧部は「超音波ホーンとアンビル」となり、インパルス加熱式チューブシーラーであれば、一対の押圧部は「一対のヒーター部」となる。
【００８８】
（５）上記実施形態においては、検知部が透過型のフォトインタラプタである場合を例示して説明したが、本発明はこれに限定されるものではなく、反射型のフォトリフレクタであってもよい。
【００８９】
（６）上記実施形態においては、８つのチューブシール部すべてに検知部が２つずつ配設されている場合を例示して説明したが、本発明はこれに限定されるものではない。例えば、８つのチューブシール部すべてにおいて、２つ以上の検知部が配設されていてもよいし、装置正面から見て電極の右側又は左側にのみ１つの検知部が配設されていてもよい。または、８つのチューブシール部のうち、装置を正面から見て右側から偶数番目又は奇数番目に位置するチューブシール部にのみ１つ又は２つ以上の検知部が配設されていてもよい。
【００９０】
（７）上記実施形態においては、進退機構が電動シリンダからなる場合を例示して説明したが、本発明はこれに限定されるものではなく、例えば、ソレノイドの駆動とバネ部材の付勢力を利用して電極を移動させる機構など、他の公知の手段を用いてもよいことは言うまでもない。
【００９１】
（８）上記実施形態においては、チューブシール装置の数が８台である場合を例示して説明したが、本発明はこれに限定されるものではない。３台以上のチューブシール装置を備える医療用チューブシール装置セットであっても、本発明を適用可能である。
【符号の説明】
【００９２】
１，２，３，４，８，９  医療用チューブシール装置セット
１０Ａ〜１０Ｈ  チューブシール装置
１２Ａ  本体部
１４Ａ  点灯部
２０Ａ〜２０Ｈ  チューブシール部
２１Ａ〜２１Ｈ，２２Ａ  電極（押圧部）
２３Ａ，２４Ａ  電極支持部
２５Ａ  カバー部材
２６Ａ  スリット部
２７Ａ  （スリット部の）最下部
３０Ａ，３０Ｂ，３５Ａ，３５Ｂ  検知部
３１Ａ，３６Ａ  発光素子
３２Ａ，３７Ａ  受光素子
４０Ａ  進退機構
６０，２６０，３６０，４６０，８６０，９６０  載置台
７０，２７０，３７０，４７０，８７０，９７０  載置面
８０，３８０，４８０，９８０  装置接続部
８２Ａ〜８２Ｈ  電源用コネクタ
８４Ａ〜８４Ｈ  通信用コネクタ
８６Ａ〜８６Ｈ，８７Ａ〜８７Ｈ  位置決めピン
８８Ａ〜８８Ｈ  装置固定用ネジ
９０，９１，３９０，３９１，４９０，４９１，９９０，９９１  取っ手
Ｈ１〜Ｈ８  載置面の高さ
Ｒ  稜線
Ｔ  チューブ
ＶＣ  仮想曲線
ＶＬ１，ＶＬ２  仮想直線
【図１】
2015150758.tif 000003
【図２】
2015150758.tif 000004
【図３】
2015150758.tif 000005
【図４】
2015150758.tif 000006
【図５】
2015150758.tif 000007
【図６】
2015150758.tif 000008
【図７】
2015150758.tif 000009
【図８】
2015150758.tif 000010
【図９】
2015150758.tif 000011
【図１０】
2015150758.tif 000012
【図１１】
2015150758.tif 000013
【図１２】
2015150758.tif 000014
【図１３】
2015150758.tif 000015
【図１４】
2015150758.tif 000016
【図１５】
2015150758.tif 000017
【図１６】
2015150758.tif 000018
【図１７】
2015150758.tif 000019
【図１８】
2015150758.tif 000020
【図１９】
2015150758.tif 000021
【図２０】
2015150758.tif 000022